(57)【要約】【課題】小型のコネクタ部品の先端に、キャップ装置のコネクタ装着部を嵌着して使用するに際し、フェルールを傷付けることなく使用できるようにする。【解決手段】ストップリング１２にスプリングを介してフェルール１４を装着し、該フェルール１４先端側にプラグフレーム１７を装着し、光ケーブルＫのケブラＳをカシメリング１５を用いて前記ストップリング１２に固定して成るコネクタ部品１１を牽引するケーブルコネクタ牽引用のキャップ装置１を形成する。このキャップ装置１は、フェルール１４を挿入した状態で当該プラグフレーム１７に対し内側から固定手段５を介して着脱可能に嵌着固定させるコネクタ装着部２と、配線用管路内に通線した牽引用工具を引っ掛けるための引っ掛け部分３とを、可撓性を有するアーム部４を介して連結して成る。【選択図】図３
2008107437.tif 000002
【特許請求の範囲】
【請求項１】
ストップリングにスプリングを介してフェルールを装着し、該フェルール先端側にプラグフレームを装着し、光ケーブルのケブラをカシメリングを用いて前記ストップリングに固定して成るコネクタ部品を牽引するケーブルコネクタ牽引用のキャップ装置であって、該キャップ装置は、前記フェルールおよびプラグフレームを挿入した状態で当該プラグフレームに対し内側から固定手段を介して着脱可能に嵌着固定させるコネクタ装着部と、配線用管路内に通線した牽引用工具を引っ掛けるための引っ掛け部分とを、可撓性を有するアーム部を介して連結して成ることを特徴とするケーブルコネクタ牽引用キャップ装置。
【請求項２】
前記固定手段は、プラグフレームに穿設された係止孔と、該係止孔に対し内側から弾発的に係合されるようコネクタ装着部に形成された撓曲可能な係止爪とから成る請求項１記載のケーブルコネクタ牽引用キャップ装置。
【請求項３】
前記係止爪は、プラグフレームに装着されたツマミのスライド押圧により係止孔への係合を解除可能とした請求項１または２記載のケーブルコネクタ牽引用キャップ装置。
【請求項４】
プラグフレームは、丸型構造に形成され、ツマミに形成された上下のキー溝（キー孔）に対し１方向で嵌挿されるよう当該プラグフレームの上下には互いに幅員の異なるガイド部を有する請求項１乃至３のいずれかに記載のケーブルコネクタ牽引用キャップ装置。
【請求項５】
ストップリングにスプリングを介してフェルールを装着し、該フェルール先端側にプラグフレームを装着し、光ケーブルのケブラをカシメリングを用いて前記ストップリングに固定して成るコネクタ部品の前記プラグフレームの内側において、キャップ装置のコネクタ装着部を当該キャップ装置の穴部にフェルールを挿入した状態で当該プラグフレームに係止固定させ、キャップ装置の引っ掛け部分に、配線用管路内に通線した牽引用工具を引っ掛けてこれを引き込むことによって光ケーブルを配線用管路内に通線した後、当該コネクタ部品のプラグフレームからキャップ装置を取り外して光ファイバ配線を行なうものとすることを特徴としたケーブルコネクタ牽引用キャップ装置を使用した光ケーブル通線方法。
【請求項６】
配線後に、コネクタ部品にツマミを組み付けることでキャップ装置をプラグフレームから取り外して完成品のコネクタとし、これをアウトレットボックスに設けられた接続アダプタに装着するものとした請求項５記載の光ケーブル通線方法。
【請求項７】
前記キャップ装置のプラグフレームに対する係止固定は、コネクタ装着部に形成された可撓性を有する係止爪を、プラグフレームに穿設された係止孔に対し内側から弾発的に係合させるものとし、該係止爪は、プラグフレームに装着されたツマミをスライドさせ、当該係止孔から突出した係止爪を押圧することで係止孔との係合を解除させるものとした請求項５または６記載の光ケーブル通線方法。
【発明の詳細な説明】
【技術分野】
【０００１】
本発明は、ビル内または家庭内において高度情報通信に利用される光ファイバケーブルを光分岐端から配線用管路内に通線して光ファイバ配線を行なうために使用されるケーブルコネクタ牽引用キャップ装置およびこれを使用した光ケーブル通線方法に関する。
【背景技術】
【０００２】
従来、光ファイバケーブルを光分岐端から配線用管路内に通線して光ファイバ配線を行なうための技術としては、例えば特許文献１に開示されているように、コネクタのロック部分に着脱可能なスリーブホルダを備えた牽引端を使用する技術がある。
【０００３】
すなわち、スリーブホルダと撚り戻しを紐で結び付け、撚り戻しには牽引用の紐を結び付け、このスリーブホルダをフェルールが挿通するようにコネクタのロック部に装着し、さらにスリーブホルダにコネクタ保護用のスリーブを嵌着してから当該スリーブに保護キャップを装着することでコネクタに牽引端が取り付けられるものとし、この牽引端を管路内に事前に通線した工具の先端に結び付けてこれを引き込むことによってコネクタ付き光ケーブルを管路内に通線し、光ファイバ配線を行なうものとするのである。
【０００４】
しかしながら、従来においては、コネクタに対して配管内径が充分な大きさに設計されていないのが現状である。例えば、コネクタの外径は、約７．５×９ｍｍ、長さは約２６ｍｍ程度であるのに対して配管内径は約１５〜３０ｍｍであり、特に家庭用では１５〜２２ｍｍ程度である。したがって、配線管路が例えば直角等に屈曲している場合は、この中にコネクタを通すことにはかなりの無理がある。すなわち、配管内壁とコネクタとが衝突する度合いが多くあり、互いに傷付け易いものとならざるを得ない。
【０００５】
また、特許文献１に開示されている技術によるものでは、牽引端はスリーブホルダ、スリーブ、保護キャップ、紐、撚り戻しの５点から構成されているため、部材が多すぎて組み付けおよび取り外し作業が非常に面倒なものとなり、しかも管路内への通線時には、撚り戻しによって引き込み方向に対して垂直な捩り回転方向だけの自由度しかないため、引き込み方向に沿って曲りくねった非常に狭い管路内を通線する場合においては、光ケーブル自体に曲げ剛性が付与されていたとしても、牽引端のスリーブ、保護キャップ、紐、撚り戻しの各構成部位、特にコネクタに形成したロック部とスリーブホルダとの装着部分に無理な屈曲によって負荷や摩擦が掛かり過ぎてしまう虞れがある。
【０００６】
そこで、本発明者自身により先に出願された特許文献２に示すように、キャップ装置自体を簡単な単一部材によって構成することにより、コネクタに対する組み付けおよび取り外し作業が容易に行なえるものとすると共に、キャップ装置自体に可撓性を付与することにより、非常に狭い配線管路内でケーブルを通線する場合に、屈曲部のある配線管路の配管内壁とコネクタとが衝突してもスムーズに通過させることができ、しかも配管内壁との衝突によってコネクタに対する無理な負荷や摩擦等を吸収し緩和できるようにしたケーブルコネクタ牽引用キャップ装置およびこれを使用した光ケーブル通線方法を提供するに至った。
【０００７】
すなわち、図１１に示すように、キャップ装置１は、フェルール１４を挿入した状態でストップリング１２に対し固定手段を介して着脱可能に嵌着固定させるコネクタ装着部２と、配線用管路内に通線した牽引用工具を引っ掛けるための引っ掛け部分３とを、可撓性を有するアーム部４を介して一体に連結して成るものとした。
【０００８】
一方、小型のコネクタ部品１１は、完成品のコネクタからプラグフレーム１７（図１２に示す）とツマミ（不図示）とを外した構造、すなわち、光分岐端から引き込まれた光ケーブルの剥離先端部に挿入されたストップリング１２と、該ストップリング１２にスプリング１３を介して装着されたフェルール１４と、ケブラＳをストップリング１２外周側に固定させるよう当該ストップリング１２に嵌着されるカシメリング１５と、カシメリング１５の外側を被覆するブーツ１６とから概ね構成され、ストップリング１２先端側はキャップ装置１のコネクタ装着部２が嵌着できるようにしてある。
【０００９】
また、従来では、図１２に示すように、光コネクタの偏心調整および方向決めのために形成された角形状のツマミのキーに対応して、プラグフレーム１７にはキー溝が形成されている。そして、プラグフレーム１７は、ツマミの形状に合わせて角形となって形成され、前記キーによって必ず１方向挿入できない構造となっている。
【特許文献１】特開２００３−３２２７２７号公報
【特許文献２】特願２００６−１２３５１１
【発明の開示】
【発明が解決しようとする課題】
【００１０】
ただ、従来においては、完成品のコネクタからツマミとプラグフレームを除いた小型のコネクタ部品の先端に、キャップ装置のコネクタ装着部を嵌着して使用するものとなっているため、フェルールが完全に外部に露出した状態となり、当該フェルールを傷付ける虞れがある。しかも、このコネクタ装着部は小型のコネクタ部品に外側から嵌着されるものとなっているため、完成品のコネクタとするには、プラグフレームの装着とツマミの装着との２工程が必要となり、組立操作が煩雑となり、作業時間も長く掛かってしまう。したがって、組立精度が１部品組立の場合と比較して低いものとなる。また、従来のプラグフレームは角形構造であるため、配線用管路を牽引移動するとき、滑り抵抗が大きくなり、これによってプラグフレーム自体が損傷を受けてしまう虞れもある。
【００１１】
そこで、本発明は、叙上のような従来存した諸事情に鑑み案出されたもので、小型のコネクタ部品の先端に、キャップ装置のコネクタ装着部を嵌着して使用するに際し、フェルールを傷付けることなく使用することができ、また完成品のコネクタとするに際し、プラグフレームの装着とツマミの装着との２工程による組立操作を、ツマミの装着のみによる１工程に減らすことで組立操作を容易にし、且つ作業時間も短縮できるようにし、ひいては組立精度を向上することができ、さらにキャップ装置を使用してコネクタ部品を配線用管路内で牽引移動させるに際し、当該コネクタ部品の滑り抵抗を小さくでき、これによってプラグフレーム自体が損傷を受けてしまうのを未然に防止できるようにしたケーブルコネクタ牽引用キャップ装置およびこれを使用した光ケーブル通線方法を提供することを目的とする。
【課題を解決するための手段】
【００１２】
上述した課題を解決するため、本発明に係るケーブルコネクタ牽引用キャップ装置にあっては、ストップリングにスプリングを介してフェルールを装着し、該フェルール先端側にプラグフレームを装着し、光ケーブルのケブラをカシメリングを用いて前記ストップリングに固定して成るコネクタ部品を牽引するケーブルコネクタ牽引用のキャップ装置であって、該キャップ装置は、前記フェルールおよびプラグフレームを挿入した状態で当該プラグフレームに対し内側から固定手段を介して着脱可能に嵌着固定させるコネクタ装着部と、配線用管路内に通線した牽引用工具を引っ掛けるための引っ掛け部分とを、可撓性を有するアーム部を介して連結して成ることを特徴とする。
【００１３】
前記固定手段は、プラグフレームに穿設された係止孔と、該係止孔に対し内側から弾発的に係合されるようコネクタ装着部に形成された撓曲可能な係止爪とから成る。
【００１４】
前記係止爪は、プラグフレームに装着されたツマミのスライド押圧により係止孔への係合を解除可能となっている。
【００１５】
プラグフレームは、丸型構造に形成され、ツマミに形成された上下のキー溝（キー孔）に対し１方向で嵌挿されるよう当該プラグフレームの上下には互いに幅員の異なるガイド部を有する。
【００１６】
一方、本発明に係るケーブルコネクタ牽引用キャップ装置を使用した光ケーブル通線方法にあっては、ストップリングにスプリングを介してフェルールを装着し、該フェルール先端側にプラグフレームを装着し、光ケーブルのケブラをカシメリングを用いて前記ストップリングに固定して成るコネクタ部品の前記プラグフレームの内側において、キャップ装置のコネクタ装着部を当該キャップ装置の穴部にフェルールを挿入した状態で当該プラグフレームに係止固定させ、キャップ装置の引っ掛け部分に、配線用管路内に通線した牽引用工具を引っ掛けてこれを引き込むことによって光ケーブルを配線用管路内に通線した後、当該コネクタ部品のプラグフレームからキャップ装置を取り外して光ファイバ配線を行なうものとすることを特徴とする。
【００１７】
配線後に、コネクタ部品にツマミを組み付けることでキャップ装置をプラグフレームから取り外して完成品のコネクタとし、これをアウトレットボックスに設けられた接続アダプタに装着するものとなっている。
【００１８】
前記キャップ装置のプラグフレームに対する係止固定は、コネクタ装着部に形成された可撓性を有する係止爪を、プラグフレームに穿設された係止孔に対し内側から弾発的に係合させるものとし、該係止爪は、プラグフレームに装着されたツマミをスライドさせ、当該係止孔から突出した係止爪を押圧することで係止孔との係合を解除させるものとなっている。
【発明の効果】
【００１９】
本発明によれば、小型のコネクタ部品の先端に、キャップ装置のコネクタ装着部を嵌着して使用するに際し、フェルールを傷付けることなく使用することができ、また完成品のコネクタとするに際し、プラグフレームの装着とツマミの装着との２工程による組立操作を、ツマミの装着のみによる１工程に減らすことで組立操作を容易にし、且つ作業時間も短縮できるようにし、ひいては組立精度を向上することができ、さらに、キャップ装置を使用してコネクタ部品を配線用管路内で牽引移動させるに際し、当該コネクタ部品の滑り抵抗を小さくでき、これによってプラグフレーム自体が損傷を受けてしまうのを未然に防止することができる。
【００２０】
すなわち、本発明に係るキャップ装置は、フェルールおよびプラグフレームを挿入した状態で当該プラグフレームに対し内側から固定手段を介して着脱可能に嵌着固定させるコネクタ装着部と、配線用管路内に通線した牽引用工具を引っ掛けるための引っ掛け部分とを、可撓性を有するアーム部を介して連結して成るため、完成品のコネクタからツマミのみを除去し、プラグフレームを装着したままの状態でキャップ装置のコネクタ装着部を嵌着することができ、これによって、先端を除いたフェルールの大半が露出されないものとなり、したがって、フェルールを傷付けることがない。
【００２１】
また、小型のコネクタ部品に対する組み付けおよび取り外し作業が容易に行なえるものとなり、さらにキャップ装置自体に可撓性を付与することにより、非常に狭い配線管路内でケーブルを通線する場合に、屈曲部のある配線管路の配管内壁とコネクタとが衝突してもスムーズに通過させることができ、しかも配管内壁との衝突によるコネクタ部品に対する無理な負荷や摩擦等を吸収し緩和することができる。
【００２２】
特に、フェルールを穴部に挿入した状態でキャップ装置のコネクタ装着部をプラグフレーム内側に固定手段を介して嵌着可能としているため、コネクタ装着部によってフェルール全体が保護された状態となり、配線管路の内壁とコネクタが衝突してもフェルール自体を傷付くことがない。しかも曲りくねった狭い配線用管路内の通線時でのキャップ装置に対する湾曲力が可撓性を有するアーム部によって吸収緩和されるため、コネクタ部品に対する無理な負荷や摩擦等を最小限に抑えることができる。
【００２３】
前記固定手段は、プラグフレームに穿設された係止孔と、該係止孔に対し内側から弾発的に係合されるようコネクタ装着部に形成された撓曲可能な係止爪とから成るので、従来のコネクタ装着部の外側嵌着方式に比して、キャップ装置自体の小型化が充分に図れると同時に、当該キャップ装置のコネクタ装着部に対するアーム部の湾曲自由度を十分に確保することができる。
【００２４】
前記係止爪は、プラグフレームに装着されたツマミのスライド押圧により係止孔への係合を解除可能としたので、キャップ装置のコネクタ装着部の脱着がワンタッチで容易に行なえる。すなわち、キャップ装置を抜脱するに際し、キャップ装置のコネクタ装着部が付いた状態のままツマミを所定位置までスライド装着すれば、キャップ装置の係止爪を押し下げることとなるため、そのままキャップ装置を引っ張れば容易に外すことができる。このように、従来のようにキャップ装置を外すためだけの操作が不要となり、作業性が向上するものとなる。
【００２５】
プラグフレームは、丸型構造に形成されているため、配線用管路を牽引移動するとき、抵抗が小さくて滑り易くなり、移動がスムーズとなると同時に、損傷も少なくすることができる。しかも、ツマミに形成された上下のキー溝（キー孔）に対し１方向で嵌挿されるよう当該プラグフレームの上下には互いに幅員の異なるガイド部を有するので、プラグフレームにツマミを挿入するに際し、当該ガイド部によって１方向のみ挿入できることとなり、したがって調心による偏心方向の確保が可能となる。
【００２６】
一方、本発明に係るケーブルコネクタ牽引用キャップ装置を使用した光ケーブル通線方法にあっては、ストップリングにスプリングを介してフェルールを装着し、該フェルール先端側にプラグフレームを装着し、光ケーブルのケブラをカシメリングを用いて前記ストップリングに固定して成るコネクタ部品の前記プラグフレームの内側に挿入されて、キャップ装置のコネクタ装着部を当該キャップ装置の穴部にフェルールを挿入した状態で当該プラグフレームに係止固定させ、キャップ装置の引っ掛け部分に、配線用管路内に通線した牽引用工具を引っ掛けてこれを引き込むことによって光ケーブルを配線用管路内に通線した後、当該コネクタ部品のプラグフレームからキャップ装置を取り外して光ファイバ配線を行なうものとするので、これにより、フェルールを傷付けることなくコネクタ部分に対するキャップ装置の組み付けおよび取り外し作業が容易に行なえるものとなるため、光ファイバ配線作業を安全且つ迅速に行なうことができる。
【００２７】
配線後に、コネクタ部品にツマミを組み付けることでキャップ装置をプラグフレームから取り外して完成品のコネクタとし、これをアウトレットボックス（ＪＩＳ規格品・奥行き、約３５ｍｍ）に設けられた接続アダプタに装着するものとしたので、ツマミの装着のみによる１工程により、キャップ装置をプラグフレームから取り外すと同時に、容易に且つ短時間で完成品のコネクタを組立てることができ、ひいては組立精度を向上することができる。しかも、ツマミを組み付けたコネクタをアウトレットボックス内部で接続アダプタに装着する際、当該コネクタは矩尺に形成されていてボックス内部のスペースに余裕があるため、コネクタの取付け作業を容易に行えると共に、光ケーブル接続部における曲げ度合いを極力小さくすることができる。
【００２８】
前記キャップ装置のプラグフレームに対する係止固定は、コネクタ装着部に形成された可撓性を有する係止爪を、プラグフレームに穿設された係止孔に対し内側から弾発的に係合させるものとし、該係止爪は、プラグフレームに装着されたツマミをスライドさせ、当該係止孔から突出した係止爪を押圧することで係止孔との係合を解除させるものとしたので、配線用管路内の通線時におけるコネクタの小型化の要望が満たされると同時に、キャップ装置でプラグフレームを牽引しても、その牽引力によってケーブルの光ファイバーとこれを中心に挿通保持させているフェルール、コイルスプリングとが互いに引っ張られるようなことがない。つまり、前記コネクタ部品はキャップ装置との牽引によって、その結合性に悪影響を受けるようなことはなく、これにより配線後においてコネクタ部品の損傷修理を必要とすることなく既存部品の組み立てが容易で、しかもワンタッチで行なえ、作業効率の向上を図ることができる。
【発明を実施するための最良の形態】
【００２９】
以下、図面を参照して本発明を実施するための最良の一形態を説明する。
図１０において示される符号１は、高度情報通信に利用される光ケーブルＫを光分岐端Ｐから配線用管路Ｑ内に通線するために使用されるケーブルコネクタ牽引用のキャップ装置であり、該キャップ装置１は、図１乃至図３に示すように、小型のコネクタ部品１１にプラグフレーム１７を装着したままの状態で、フェルール１４を覆うようにして当該コネクタ部品１１に装着されるものとした有底筒状のコネクタ装着部２と、配線用管路Ｑ内に事前に通線した牽引用工具を引っ掛けるための引っ掛け部分３とが、可撓性を有する略帯板状のアーム部４を介して連結されている。
【００３０】
これらコネクタ装着部２、引っ掛け部分３、アーム部４それぞれは、キャップ装置１の形成に際し、例えば金型による弾性部材の射出成形等によって共に一体となって同時形成されるものとしてある。
【００３１】
図１に示すように、キャップ装置１のコネクタ装着部２には、光ケーブルＫに取り付けられたコネクタ部品１１のフェルール１４を挿入するための狭幅の穴部２ａが設けられ、該穴部２ａの後方側は広幅な筒状となることで当該コネクタ部品１１のプラグフレーム１７が固定手段５を介して着脱可能となるように嵌着固定されるための開口端部２ｂが形成されている。
【００３２】
この開口端部２ｂに対するプラグフレーム１７の固定手段５としては、図１乃至図３に示すように、開口端部２ｂの外周の上下対称位置に突設され、中間にある左右一対の切欠部７を介して互いに閉塞乃至拡開方向に撓曲可能として成る三角突起状の係止爪８ａが、プラグフレーム１７に穿設された上下の係止孔８ｂに対し内側から弾発的に係合されるようにしてある。
【００３３】
尚、この固定手段５としては、開口端部２ｂの外周に螺設したネジ部を、プラグフレーム１７内周に形成したネジ孔に螺着させるものとしたり、さらには任意回転位置で係止可能となる所謂バヨネット構造としたり、その他種々の係止方式を採用することができる。
【００３４】
また、図１に示すように、コネクタ装着部２から延びたアーム部４の先端には、配線用管路Ｑ内に事前に通線した牽引用工具である例えばロープＬ（図１０（ａ）に示す）を引っ掛けるためのリング状の引っ掛け部分３が形成してある。このアーム部４の長さは、コネクタ装着部２の長さと略同じかもしくは若干長くしてあることで、キャップ装置１の小型化が図れると同時に、アーム部４の腰の強さを保持しながらも、コネクタ装着部２に対するアーム部４自体の湾曲自由度を十分に確保できるように設定してある。尚、牽引用工具としてはロープＬ以外でも良く、例えば金属線等を採用することも可能である。
【００３５】
一方、小型のコネクタ部品１１の具体的な構成の一例としては、図２および図３に示すように、完成品のコネクタ１０からツマミ１８を外した構造、すなわち、光分岐端Ｐから引き込まれた光ケーブルＫの剥離先端部に挿入されたストップリング１２と、該ストップリング１２にスプリング１３を介して装着されたフェルール１４と、ケブラＳをストップリング１２外周側に固定させるよう当該ストップリング１２に嵌着されるカシメリング１５と、カシメリング１５の外側を被覆するブーツ１６と、フェルール１４を覆うようにストップリング１２外周に装着されるプラグフレーム１７とから概ね構成され、前記したようにプラグフレーム１７先端側は、キャップ装置１のコネクタ装着部２が当該プラグフレーム１７の内側から嵌着できるようにしてある。
【００３６】
また、プラグフレーム１７は、図９に示すように、丸型構造に形成されると共に、当該プラグフレーム１７の上下対称位置には、ツマミ１８に形成された上下対称位置のキー溝（キー孔）に対応して一対のガイド部９ａ、９ｂを形成してある。このガイド部９ａ、９ｂは、プラグフレーム１７にツマミ１８を装着する際に、当該ツマミ１８に形成された上下対称位置のキー溝（キー孔）に対し１方向で嵌挿されるよう当該ガイド部９ａ、９ｂは互いに異なった幅員となるように形成されている。
【００３７】
次に、以上のように構成された最良の形態における光ケーブル通線方法の一例について説明する。
先ず、ツマミ１８を具備していない小型のコネクタ部品１１を設ける。つまり、光分岐端Ｐからの光ケーブルの剥離先端部に挿入される前記コネクタ部品１１中のストップリング１２に、スプリング１３を介してフェルール１４を装着することで当該フェルール１４に光ケーブルのケブラＳが剥き出し状態となった光ファイバが挿入固定される。
【００３８】
そして、ケブラＳをストップリング１２外周側に配置させ、当該ストップリング１２に嵌着されるカシメリング１５によってケブラＳを挟み込むようにして固定した後、カシメリング１５の外側をブーツ１６によって被覆固定する。また、フェルール１４を覆うようにストップリング１２外周にはプラグフレーム１７が嵌着される（図３参照）。
【００３９】
このようにして形成される小型のコネクタ部品１１におけるプラグフレーム１７に対して、キャップ装置１のコネクタ装着部２を固定手段５により嵌着固定する。このとき固定手段５は、図２に示すように、キャップ装置１の穴部２ａにフェルール１４が挿入される際には、開口端部２ｂ外周の係止爪８ａが中間の切欠部７を介して互いに閉塞方向に撓曲されながら挿入された後、図３に示すように、当該係止爪８ａはプラグフレーム１７の係止孔８ｂに対し内側から弾発的に係合される。
【００４０】
そして、図１０（ａ）に示すように、キャップ装置１の引っ掛け部分３には、配線用管路Ｑ内に事前に通線した牽引用工具としてのロープＬを引っ掛けてから、これを引き込むことによって光ケーブルＫを配線用管路Ｑ内に通線すれば良い。
【００４１】
このとき、キャップ装置１でプラグフレーム１７を牽引しても、その牽引力によって光ケーブルＫの光ファイバとこれを中心に挿通保持させているフェルール１４、コイルスプリング１３とが互いに引っ張られるようなことがなく、小型コネクタ部品１１と光ケーブルＫとの結合力に悪影響を与えるようなことはないものである。
【００４２】
光ケーブルＫの配線用管路Ｑ内への通線後、コネクタ部品１１のプラグフレーム１７からキャップ装置１を取り外す。このとき、キャップ装置１を抜脱するに際し、図４乃至図６に示すように、キャップ装置１のコネクタ装着部２がプラグフレーム１７に付いた状態のまま、フェルール１４先端側にツマミ１８を装着し、該ツマミ１８を若干後方側の所定位置までスライドすれば、当該ツマミ１８の先端内周側でキャップ装置１の係止爪８ａが係止孔８ｂ内側に押し下げられた状態となり、そのままキャップ装置１を引っ張れば容易に外すことができると同時に、完成品のコネクタ１０とすることもできる。
【００４３】
次いで、建物内部の壁面に配設されたアウトレットボックス２１からカバープレート２５がいったん外された状態で、図１０（ｂ）に示すように、光分岐端Ｐから配線用管路Ｑ内に通線されて壁面内に引き込まれた光ケーブルＫに接続されている完成品のコネクタ１０を、アウトレットボックス２１に備え付けた接続アダプタ２４に挿着した後、前面側からカバープレート２５が被せられることによって光コンセント２６が形成されるものである。
【００４４】
このように配線用管路Ｑ内を通過させ、しかる後、ツマミ１８のみを取り付けることで、光ファイバ配線作業を何等の損傷修理作業を要することなく迅速且つスムーズに行なうことができるのである。そして、図８および図１０（ｃ）に示すように、例えばパソコン２２等からの相手側コネクタ２３が光コンセント２６の接続アダプタ２４の相手側端子に接続される。
【図面の簡単な説明】
【００４５】
【図１】本発明を実施するための最良の形態におけるキャップ装置を示すもので、（ａ）は平面図、（ｂ）は側面図、（ｃ）は（ｂ）中のＸ−Ｘ断面図、（ｄ）は背面図である。
【図２】同じくキャップ装置をコネクタに装着する状態を示す一部切欠断面図である。
【図３】同じくキャップ装置をコネクタに装着した状態を示すもので、（ａ）は上半分を断面で示した側面図、（ｂ）は（ａ）のＹ−Ｙ断面図である。
【図４】同じくキャップ装置を付けたままの状態でコネクタにツマミを装着した状態を示す一部切欠断面図である。
【図５】同じくコネクタに対しツマミを後方へスライドさせることでキャップ装置を取り外す状態を示す一部切欠断面図である。
【図６】同じくコネクタに対しキャップ装置を取り外した状態を示す一部切欠断面図である。
【図７】完成品のコネクタ構成の一例を示し、（ａ）は上半分を断面で示した側面図、（ｂ）は正面図である。
【図８】同じく完成品のコネクタを接続アダプタに装着した状態の一例を示す断面図である。
【図９】同じくプラグフレームの構成例を示すもので、（ａ）は上半分を断面で示した側面図、（ｂ）は正面図、（ｃ）は背面図である。
【図１０】本発明に係るキャップ装置を使用して光ケーブルを管路内に通線する光ケーブル通線方法の手順を示すもので、（ａ）はコネクタ部品に取り付けたキャップ装置を介して配線用管路内にて牽引する状態を示す一部切欠断面図、（ｂ）は管路内通線後の光ファイバ配線状態を示す一部切欠断面図、（ｃ）はパソコン等からの相手側コネクタが接続アダプタに挿入された状態の一部切欠断面図である。
【図１１】従来例におけるキャップ装置をコネクタに装着した状態を示す上半分を断面で示した側面図である。
【図１２】従来例におけるプラグフレームの構成を示すもので、（ａ）は上半分を断面で示した側面図、（ｂ）は正面図、（ｃ）は背面図である。
【符号の説明】
【００４６】
Ｐ          光分岐端
Ｑ          配線用管路
Ｓ          ケブラ
Ｋ          光ケーブル
Ｌ          ロープ
ｏ          光ファイバ
１          キャップ装置
２          コネクタ装着部
２ａ        穴部
２ｂ        開口端部
３          引っ掛け部分
４          アーム部
５          固定手段
６          突起
７          切欠部
８ａ        係止爪
８ｂ        係止孔
９ａ、９ｂ  ガイド部
１０        完成品のコネクタ
１１        コネクタ部品
１２        ストップリング
１３        スプリング
１４        フェルール
１５        カシメリング
１６        ブーツ
１７        プラグフレーム
１８        ツマミ
２１        アウトレットボックス
２２        パソコン
２３        相手側コネクタ
２４        接続アダプタ
２５        カバープレート
２６        光コンセント
【図１】
2008107437.tif 000003
【図２】
2008107437.tif 000004
【図３】
2008107437.tif 000005
【図４】
2008107437.tif 000006
【図５】
2008107437.tif 000007
【図６】
2008107437.tif 000008
【図７】
2008107437.tif 000009
【図８】
2008107437.tif 000010
【図９】
2008107437.tif 000011
【図１０】
2008107437.tif 000012
【図１１】
2008107437.tif 000013
【図１２】
2008107437.tif 000014